(57)【特許請求の範囲】
【請求項１】
記録媒体に形成されたトラック部分とこのトラックの中心から当該トラックの半径方向に所定距離だけ離れた部分との少なくとも一方に、所望の情報を少なくとも一のピットによって光学的に記録自在で、且つ、上記ピットを光学的に検出することによってこの情報を再生自在な情報記録再生装置において、
情報再生時に、上記情報記録再生装置によって検出された上記ピットの長さに対応する情報信号のパルス幅を上記記録媒体に応じた一律の所定長だけ長くするエッヂシフト手段を備えたことを特徴とする、情報記録再生装置。
【請求項２】
前記エッヂシフト手段は、少なくとも最短の長さを有するピットに対応する情報信号のパルス幅を上記所定長だけ長くするものである、請求項１に記載の、情報記録再生装置。
【発明の詳細な説明】
【０００１】
【発明の属する技術分野】
本発明に係る情報記録再生装置は、例えばＤＶＤ−ＲＡＭ用の情報記録再生装置として利用する。特に、情報の記録時或いは情報の再生時にジッタ（信号の時間軸方向の揺れ）を僅少に抑え、情報の記録或いは再生を正確に行なえるようにする。
【０００２】
【従来の技術】
近年、大量の情報を記憶させる媒体として、記録媒体である情報記録円盤（ディスク）に大量の情報を光学的に記憶させる光ディスクが普及している。このような光ディスクの一つとしてＤＶＤが注目されている。上記ＤＶＤは、動画像や音声等の情報をディジタル方式でＭＰＥＧ２等により圧縮して記録するとともに、上記ＭＰＥＧ２等により伸長して再生するもので、現在、再生専用装置が実用化されている。更に、利用者（ユーザー）が一度だけ記録を行なえるＤＶＤ−Ｒ、或いは、何度でも（現実的には、１０万回程度）書き換えのできるＤＶＤ−ＲＡＭの開発が実用化に向けて進められている。
【０００３】
上述したＤＶＤ−ＲＡＭに所望の情報を記録する際の記録型式は、相変化型の光ディスクと同様である。すなわち、記録媒体である情報記録円盤（ディスク）に螺旋状のトラックを設け、このトラック上（トラックを構成するグルーブやランド）に、記録すべき情報を表す複数のピット（反射率変化部分）を形成することで行なえる。現在考えられている、ＤＶＤにおける記録型式について更に詳しく説明すると、図１２に示すように、ディスク１の記録面に所定間隔ごとにデータ記録領域Ａを設け、このデータ記録領域Ａに案内溝（グルーブ）２及びランド３を形成している。そして、これらグルーブ２及びランド３に、記録すべき情報を表す複数のピット４、５を形成する。これらピット４、５は、長さの異なる複数（例えば、９個）のものが存在し、これら長さの異なる複数のピット４、５を組み合わせて、上記情報を表すようにしている。
【０００４】
又、上記データ記録領域Ａ同士の間には、ディスク１内における記録位置或いは再生位置を示すためのアドレス記録領域Ｂを設け、このアドレス記録領域Ｂに上記記録位置或いは再生位置（言い換えれば、データ記録領域Ａのアドレス）を表す上記ピット４を形成している。このアドレス記録領域Ｂに形成されるピット４は、ディスク製造時に予め製造工場で形成しておく。又、上記ピット５は、記録すべき情報の記録時に光ビームを照射することにより、データ記録領域Ａに、当該情報を表すデータ信号に対応して形成される。尚、上記アドレス記録領域Ｂに形成されるピット４は、図１２に示すように、トラックの中心位置から所定長さ（例えば、０．３７μｍ）だけ半径方向にずらせて形成している。
【０００５】
更に、図１３は、記録型式の別例を示している。この図１３に記載した例は、データ記録領域Ａであるグルーブ２及びランド３を揺らがせて形成した以外、上述した図１２に示すものと同様である。
【０００６】
アドレス記録領域Ｂにアドレス情報を記録したディスク１に所望の情報を記録する場合、並びに、ディスク１のデータ記録領域Ａに記録された情報を再生する場合に使用する情報記録再生装置として、現在考えられているものは、光ピックアップと、光ピックアップ制御手段と、信号処理手段とを備える。
【０００７】
上記光ピックアップは、レーザー光を用いてデイスク１のデータ記録領域Ａに情報を記録するとともに、上記レーザー光のディスク１での反射光により、上記データ記録領域Ａに形成されたピット４が表わす情報を再生するものである。このような機能を有する光ピックアップは、本発明を示す図１（Ａ）に示すように、レーザーダイオード５と、コリメートレンズ６と、偏光ビームスプリッタ７と、１／４波長板８と、対物レンズ９と、２分割フォトダイオード１０とを、図示のように配設することで構成される。
【０００８】
又、上記光ピックアップ制御手段は、上記対物レンズ９をディスク１の振れに追従させるためのアクチュエータ１１と、フォーカス制御及びトラッキング制御を行なうための制御回路とから構成される。上記フォーカス制御としては、非点収差法等従来知られた種々の方法を採用する。又、上記トラッキング制御としてはプッシュプル法を採用する。このために、上記図１に示すフォトダイオード１０として２分割のものを採用し、これら分割されたそれぞれの領域Ｄ１、Ｄ２で検出された検出値の差を算出してプッシュプル信号（ＰＰ信号）とする。尚、これら各検出値の和を算出して、データ記録領域Ａに記録された情報を表す信号（ピットの有無を表す信号であり、ＲＦ信号）とする。
【０００９】
更に、上記信号処理手段は、レーザーダイオードを駆動させるための駆動回路、記録すべき情報を所定の信号に変化させる変調回路、情報の再生時に上記変調回路で変換された信号を記録時のものに戻す復調回路とから構成される。
【００１０】
上述のように構成される情報記録再生装置により、上記ディスク１に記録された情報を再生する場合、或いはこのディスク１に情報を記録する際の作用は、次のとおりである。すなわち、上記光ピックアップ制御手段により、光ピックアップを制御しつつ、上記ディスク１の所望位置にスポット光を照射し、情報の再生或いは記録を行なう。この際、上記情報は、変調手段及び復調手段により、適宜、変調或いは復調され、記録或いは再生される。このように記録或いは再生を行なう場合、上記光ピックアップは、先ずディスク１のアドレス記録領域Ｂに記録されているアドレス情報を読み、所望のアドレス記録領域Ｂに対応するデータ記録領域Ａに記録された情報を再生したり、或いは所望のアドレス記録領域Ｂに対応するデータ記録領域Ａに情報を記録する。尚、上記アドレス記録領域Ｂに記録されたアドレス情報を再生する場合、やはり上記２分割のフォトダイオード１０の各領域Ｄ１、Ｄ２でそれぞれ検出される信号の差を算出し、この差分に基づいて（ＰＰ信号により）再生している。
【００１１】
【発明が解決しようとする課題】
ところで、上記ＰＰ信号によってアドレス情報を再生する場合、収差（デフォーカス、ディスク厚み誤差、非点収差等）の変化に対する信号（ジッタ）の変動が激しく、扱いが難しい。このような不都合を解消するために、上記ＰＰ信号に代えて、上記２分割フォトダイオード１０の各領域Ｄ１、Ｄ２でそれぞれ得られた検出値の和をとり、この和を表わす和信号（通常再生信号）によって上記アドレス情報を再生することが考えられる。このようにアドレス情報を通常再生信号によって再生すれば、収差の変動に対して穏やかな特性となる。
【００１２】
しかしながら、通常再生信号によってアドレス情報を再生する場合、ＰＰ信号によって再生する場合に比べて、ピット４（図１２、１３参照）の長さ（ピット長）の正確さ（読み取りの正確さ）が要求される。これに対して、例えば上記ＤＶＤ−ＲＡＭのアドレス記録領域Ｂに記録されたアドレス情報のように、トラックの中心から所定長さだけ半径方向にずれたピットを読み取る際には、図１４に示すように、実際にはピット長がＬであるにも拘らず、スポット光１５が認識するピット長は、上記Ｌよりも短いｌとなってしまう。すなわち、得られた信号波形が、図１４の最下方に示すものとなるべきであるにも拘らず、実際にはその上方に示す波形となってしまう。このため、再生信号による再生では、上述したように収差の変動に対して穏やかな特性があるものの、ベースジッタ（無収差時のジッタ）が大きくなってしまい、正確な再生を行ない難い。
【００１３】
図９に、上記ＰＰ信号による再生時におけるジッタの量と、通常再生信号による再生時におけるジッタの量との比較を示す。この図９のうち（Ａ）はＰＰ信号により、（Ｂ）は通常再生信号により、それぞれ再生した場合を示している。又、これら図９（Ａ）（Ｂ）において、上段には、デフォーカス（defocus）とジッタ（jitter）との関係を、中段には、ディスク厚み誤差（thickness-error）とジッダとの関係を、下段には、非点収差（W22（0deg））とジッダとの関係を、それぞれ示している。この図９（Ａ）から、ＰＰ信号による再生では、収差の変化によるジッタの変動が大きいことが分かる。又、同図（Ｂ）から、通常再生信号による再生では、ベースジッタ（無収差時のジッタ）が大きくなっていることが分かる。尚、後述する図６〜図８は、上記図９と同様、各図（Ａ）がＰＰ信号により、各図（Ｂ）が通常再生信号により、それぞれ再生した場合を示し、且つ、上段には、デフォーカス（defocus）とジッダ（jitter）との関係を、中段には、ディスク厚み誤差（thickness-error）とジッダとの関係を、下段には、非点収差（W22（0deg））とジッダとの関係を、それぞれ示している。
【００１４】
本発明の情報記録再生装置は、上述のような事情に鑑みて発明したもので、ジッダを小さくして再生を正確に行える情報記録再生装置を提供するものである。
【００１５】
【課題を解決するための手段】
本発明に係る情報記録再生装置は、いずれも、記録媒体に形成されたトラック部分とこのトラックの中心から当該トラックの半径方向に所定距離だけ離れた部分との少なくとも一方に、所望の情報を少なくとも一のピットによって光学的に記録自在で、且つ、上記ピットを光学的に検出することによってこの情報を再生自在な情報記録再生装置に関する。このような本発明に係る情報記録再生装置のうち、請求項１に記載した情報記録再生装置は、情報再生時に、情報記録再生装置によって検出された上記ピットの長さに対応する情報信号のパルス幅を上記記録媒体に応じた一律の所定長だけ長くするエッヂシフト手段を備える。更に、請求項２に記載したように、上記請求項１に記載したエッヂシフト手段を、少なくとも最短の長さを有するピットに対応する情報信号のパルス幅を所定長だけ長くするものとすることもできる。
【００１６】
【作用】
上述のように構成される本発明に係る情報記録再生装置により、記録媒体に情報を記録したり、或いは記録された情報を再生する際の基本的な作用は、前述した情報記録再生装置と同様である。特に、本発明に係る情報記録再生装置においては、情報再生時に、情報記録再生装置によって検出された上記ピットの長さに対応する情報信号のパルス幅を上記記録媒体に応じた一律の所定長だけ長くするエッヂシフト手段（請求項１に記載の情報記録再生装置）を備える。このため、ピット長の読み取りの正確さが要求される通常再生信号による再生を行なう際に、スポット光が読み取るピット長は実際のピット長とほぼ同等になる。この結果、ジッタ（ベースジッタ）の発生が僅少に抑えられ、正確な再生を行なえる。
【００１７】
【発明の実施の形態】
次に、本発明の実施の形態の第１例について説明する。本例は、請求項２に対応するものである。本例の情報記録再生装置は、図１に示すような光ピックアップと、光ピックアップ制御手段と、信号処理手段とから構成される。上記光ピックアップは、前述したように、レーザー光を用いてデイスク１のデータ記録領域Ａ（図１２参照）に情報を記録するとともに、上記レーザー光のディスク１での反射光により、上記データ記録領域Ａに形成されたピットが表わす情報を再生するものである。このような光ピックアップは、図１に示すように、レーザーダイオード５と、コリメートレンズ６と、偏光ビームスプリッタ７と、１／４波長板８と、対物レンズ９と、２分割フォトダイオード１０とを、図示のように配設することで構成される。
【００１８】
又、上記光ピックアップ制御手段は、上記対物レンズをディスクの振れに追従させるためのアクチュエータ１１と、フォーカス制御及びトラッキング制御を行なうための制御回路とから構成される。上記フォーカス制御としては、非点収差法等従来知られた種々の方法を採用する。
【００１９】
更に、上記信号処理手段は、レーザーダイオードを駆動させるための駆動回路、記録すべき情報を所定の信号に変化させる変調回路、情報の再生時に上記変調回路で変換された信号を記録時のものに戻す復調回路とから構成される。特に、本例の場合、この信号処理手段に、エッヂシフト回路１６を設けている。このエッヂシフト回路１６は、上記２分割フォトダイオード１０のそれぞれの領域Ｄ１、Ｄ２で検出した検出値同士の和を取り、ＲＦ信号（通常再生信号）として送出する部分に付設している。このエッヂシフト回路１６としては、図２に示すように、遅延素子１７とＯＲ回路１８とから構成することができる。これら遅延素子１７及びＯＲ回路１８としては、従来から知られており、それらを利用する。
【００２０】
上述のように構成される本例の情報記録再生装置により、上記ディスク１に記録された情報を再生する際の作用について、アドレス情報を再生する場合を例に説明する。すなわち、上記光ピックアップ制御手段により光ピックアップを制御しつつ、上記ディスク１の所望位置にスポット光を照射し、ピット４（図１２、１３参照）の長さを検出する。この際、得られる情報信号は、復調手段によって適宜復調された状態で再生される。
【００２１】
特に、本例における情報記録再生装置の場合、上記エッヂシフト回路１６を設けているため、２分割フォトディテクタ１０により検出された検出信号は、図３（Ａ）に示すもの（前述した従来構造における信号と同等）と、この図３（Ａ）に示す信号を所定時間遅延した同図（Ｂ）に示すものとを重ね合わせて成る、同図（Ｃ）に示すものとなる。すなわち、前記従来構造における検出信号に比べ、ディスクに形成されたピットの終端を上記所定時間に対応する所定長（０．１〜０．１５μｍ程度）長くしたことに相当し、実際のピット長に近いものとなる。従って、和信号である通常再生信号で再生する場合、ジッタ（ベースジッタ）が小さく抑えられ、正確な再生を行うことができる。尚、このようにエッヂシフト回路１６を設けた場合でも、ＰＰ信号（差信号）で再生することもできる。
【００２２】
図４は、上記エッヂシフト回路１６によってピット４の長さを所定長、長くする際に、上記所定長を種々変化させた場合のジッタの大きさを表している。この図４の記載から明らかなように、通常再生信号により再生する場合、上記所定長を０．１〜０．１５μｍ程度とすればジッタを小さくできる。尚、ＰＰ信号によって再生する場合においても、図６〜９の記載から分かるように、エッヂシフト回路１６を作用させることによる悪影響はない。
【００２３】
尚、上記エッヂシフト回路１６は、すべてのピット４について、図３（Ｂ）に示すように、検出信号（図３（Ａ））を上記所定長に対応する時間だけ遅延させることによって、同図（Ｃ）に示すような信号を得るようにする他、特定の長さのピット４のみについて、そのピット長を所定長だけ長くするように作用させることもできる。例えば、図５は、その長さを３Ｔとして表現される最小のピット４について、エッヂシフト回路１６を作用させた場合の、上記所定長とジッタの大きさとの関係を示している。この図５から明らかなように、上記３Ｔのピットのみを、０．０３〜０．１５μｍ程度長くするようにエッヂシフト回路１６を作用させれば、ジッタを小さくできる。
【００２４】
又、図６〜図９は、本発明の効果を確認するために行った実験結果を示している。すなわち、上記図６（Ａ）は、すべてのピットについて、上記エッヂシフト回路１６により一律にピット長を０．１３μｍ長くさせた際の、デフォーカス、ディスク厚み誤差、非点収差のそれぞれにおけるジッタの大きさを、ＰＰ信号で再生した場合について示している。又、同図（Ｂ）は、通常再生信号で再生した場合について示している。図７は、上記３Ｔのピットのみにエッヂシフト回路１６を作用させ、この３Ｔピットを０．０５μｍ長くした際における、図６と同様の線図である。又、図８は、長さ３Ｔのピット及び長さ４Ｔのピットに上記エッヂシフト回路１６を作用させ、上記３Ｔのピットを０．０６μｍ、上記４Ｔのピットを０．０４μｍ、それぞれ長くした際における、上記図６と同様の線図である。又、図９は、前述したように、エッヂシフト回路１６を作用させない場合における、図６と同様の線図である。これら図６〜図９に示す結果を考察することによって明らかなように、上記エッヂシフト回路１６を作用させた場合におけるジッタは小さくなる。又、特定の長さのピットのみエッヂシフト回路１６を作用させても、ジッタの大きさは小さくなることが分かる。更に、図１０は、上記３Ｔのピットと４Ｔのピットとのそれぞれのピット長を、上記エッヂシフト回路１６によって長くした際に、各ピットのピット長の増加量を種々変えた場合のジッタの大きさを示している。この図１０において、上記ジッタは濃度が濃いほど大きい。この図から明らかなように、３Ｔのピットを０．０５〜０．１２μｍ程度、４Ｔのピットを０．０２〜０．１０μｍ程度、それぞれ増加させることにより、ジッタを小さくできる。
【００２５】
次に、図１１に示す、本発明の参考例について説明する。本例は、記録媒体であるディスク１（図１参照）の製造工場で、予めアドレス情報を記録したディスク１を製造する場合に本発明を適用した例を示している。周知のように、上記ディスク１を製造する場合、先ずマスタディスクを製造し、このマスタディスクによってディスク１を製造する。上記マスタディスクには、上記アドレス情報を表すピットを記録しておくが、このマスタディスクのピット長が、実際よりも短いと、製造するディスクに形成されるピットも短くなり、正確な再生に支障を来たす。そこで、本例においては、マスタディスクを製造する原盤記録器１９に上記アドレス情報を変調して送る際に、この情報を変調後、エッヂシフト回路１６ａを通過させることにより、ピット長を所定長である０．１〜０．１５μｍ程度長くしている。上記エッヂシフト回路１６ａの構成は、上記第１例のものと同様である。上記原盤記録器１９は、上記図１に示した光ピックアップとほぼ同様の構成を有する。
【００２６】
尚、上述した例においては、アドレス情報を再生する場合の例について説明したが、ディスク１のデータ記録領域Ａに記録された情報を再生する場合に、本発明を適用することができることは勿論である。又、ＣＤ−ＲとＤＶＤ−ＲＡＭとを兼ね備えた情報記録再生装置に適用することもできる。
【００２７】
【発明の効果】
本発明の情報記録再生装置は、上述のように構成され作用するため、再生時に、ジッタの発生を抑え、正確に再生を行えるようになり、実用上の効果が大きい。
【図面の簡単な説明】
【図１】本発明の実施の形態の第１例を示す略図。
【図２】エッヂシフト回路の構成を示す、略ブロック図。
【図３】エッヂシフト回路の作用を示す、それぞれ信号波形を示す図。
【図４】ＰＰ信号と通常再生信号とのそれぞれにおける、全ピットのピット長の増加量とジッダの大きさとの関係を示す線図。
【図５】ＰＰ信号と通常再生信号とのそれぞれにおける、３Ｔのピットのピット長の増加量とジッダの大きさとの関係を示す線図。
【図６】エッヂシフト回路により、ピット長を一律０．１３μｍだけ増大させた際の、デフォーカスとジッダとの関係と、ディスク厚み誤差とジッダとの関係と、非点収差とジッダとの関係とを、それぞれ示しており、（Ａ）はＰＰ信号により、（Ｂ）は通常再生信号により、それぞれ再生した場合の結果を示している。
【図７】エッヂシフト回路により、３Ｔのピット長のみを０．０５μｍだけ増大させた場合における、図６と同様の線図。
【図８】エッヂシフト回路により、３Ｔのピット長を０．０６μｍ、４Ｔのピットを０．０４μｍ、それぞれ増大させた場合における、図６と同様の線図。
【図９】従来構造における、図６と同様の線図。
【図１０】エッヂシフト回路により、３Ｔのピット及び４Ｔのピットのそれぞれのピット長を変化させた場合の、通常再生信号による再生時におけるジッダの変化を示す図。
【図１１】本発明の実施の形態の第２例を示す略図。
【図１２】ディスクへの記録形式の１例を示す図。
【図１３】ディスクへの記録形式の別例を示す図。
【図１４】従来構造の不都合を説明するための図。
【符号の説明】
１６、１６ａ  エッヂシフト回路
１７  遅延素子
１８  ＯＲ回路
【図１】
0003657719.tif 000002
【図２】
0003657719.tif 000003
【図３】
0003657719.tif 000004
【図４】
0003657719.tif 000005
【図５】
0003657719.tif 000006
【図６】
0003657719.tif 000007
【図７】
0003657719.tif 000008
【図８】
0003657719.tif 000009
【図９】
0003657719.tif 000010
【図１０】
0003657719.tif 000011
【図１１】
0003657719.tif 000012
【図１２】
0003657719.tif 000013
【図１３】
0003657719.tif 000014
【図１４】
0003657719.tif 000015